(57)【要約】  LampSiteの電力消費を削減するために、エネルギー節約方法および装置、ならびにコンピュータ可読記憶媒体が提供される。方法は以下を含む。集中型コントローラがm個のRRUの中のn個のRRUを決定し、n個のRRUに対応する同じ端末の第1のダウンリンクRSRPの合計が、第1の予め設定された値以上であり、1つのRRUに対応する1つの端末の第1のダウンリンクRSRPが、集中型コントローラによって推定された、端末によって測定された、対応する第1のRS送信電力でRRUによって送信されたRSの、受信電力であり、集中型コントローラが、m個のRRUの中にある、n個のRRUとは異なるRRUをオフにし（402）、集中型コントローラが、n個のRRUの各々に対応する第2のRS送信電力を対応する第1のRS送信電力に増やし、n個のRRUの各々が対応する第1のRS送信電力でRSを送信することを可能にする（403）。
2021533608.tif 000002
【特許請求の範囲】
【請求項１】
通信システムに適用されるエネルギー節約方法であって、前記通信システムが、集中型コントローラおよび前記集中型コントローラに接続されたm個の無線リモートユニット（RRU）を備え、mが1より大きい整数であり、前記エネルギー節約方法が、
前記集中型コントローラにより、前記m個のRRUの中のn個のRRUを決定するステップであって、前記n個のRRUに対応する同じ端末の第1のダウンリンク基準信号受信電力（RSRP）の合計が第1の予め設定された値以上であり、1つのRRUが複数の端末の第1のダウンリンクRSRPに対応し、1つのRRUに対応する1つの端末の第1のダウンリンクRSRPが、前記集中型コントローラによって推定された、前記端末によって測定された、対応する第1の基準信号（RS）送信電力で前記RRUによって送信されたRSの、受信電力であり、1つのRRUに対応する第1のRS送信電力が、前記RRUに対応する第2のRS送信電力に対して電力増加が実行された後に取得されたRS送信電力であり、前記m個のRRUに対応する第2のRS送信電力がすべて事前に構成され、前記第1の予め設定された値が、前記複数の端末がダウンリンクサービスを実行するときに到達されるべきレベル値であり、nが0より大きくmより小さい整数である、ステップと、
前記集中型コントローラにより、前記m個のRRUの中にある、前記n個のRRUとは異なるRRUをオフにするステップと、
前記集中型コントローラにより、前記n個のRRUの各々に対応する第2のRS送信電力を対応する第1のRS送信電力に増やし、前記n個のRRUの各々が前記対応する第1のRS送信電力でRSを送信することを可能にするステップと
を備える、エネルギー節約方法。
【請求項２】
前記集中型コントローラにより、前記n個のRRUの各々に対応する第2のRS送信電力を対応する第1のRS送信電力に増やす前記ステップが、
前記集中型コントローラにより、データ送信電力を削減し、前記RS送信電力を増大させて、前記n個のRRUの各々に対応する前記第2のRS送信電力を前記対応する第1のRS送信電力に増やすステップ、または
前記集中型コントローラにより、前記RRUが属する論理セルのサービス帯域幅における全体のRS送信電力を前記サービス帯域幅の中央の帯域幅に集中させて、前記n個のRRUの各々に対応する前記第2のRS送信電力を前記対応する第1のRS送信電力に増やすステップ
を備える、請求項1に記載のエネルギー節約方法。
【請求項３】
前記集中型コントローラにより、前記m個のRRUの中のn個のRRUを決定する前記ステップの前に、前記エネルギー節約方法が、
前記集中型コントローラにより、前記m個のRRUの各々に対応する前記複数の端末の第2のダウンリンクRSRPを決定するステップであって、1つのRRUに対応する1つの端末の第2のダウンリンクRSRPが、前記端末によって測定された、対応する第2のRS送信電力で前記RRUによって送信されたRSの、受信電力である、ステップと、
前記集中型コントローラにより、前記m個のRRUの各々の増やされたRS送信電力を決定するステップと、
前記集中型コントローラにより、前記m個のRRUの各々に対応する前記複数の端末の前記第2のダウンリンクRSRP、および各RRUの前記増やされたRS送信電力に基づいて、前記m個のRRUの各々に対応する前記複数の端末の第1のダウンリンクRSRPを決定するステップと
をさらに備える、請求項1または2に記載のエネルギー節約方法。
【請求項４】
前記集中型コントローラにより、前記RRUが属する論理セルのサービス帯域幅における全体のRS送信電力を前記サービス帯域幅の中央の帯域幅に集中させて、前記n個のRRUの各々に対応する前記第2のRS送信電力を前記対応する第1のRS送信電力に増やす前記ステップの前に、前記エネルギー節約方法が、
前記集中型コントローラにより、前記n個のRRUの各々の増やされたRS送信電力に基づいて、前記n個のRRUに対応する前記中央の前記帯域幅を決定するステップ
をさらに備える、請求項3に記載のエネルギー節約方法。
【請求項５】
前記集中型コントローラが、前記m個のRRUの中の第1のRRUに対応する第1の端末の第2のダウンリンクRSRPを決定することが、
前記集中型コントローラにより、前記m個のRRUに対応する前記第1の端末のアップリンクRSRPを測定するステップであって、1つのRRUに対応する前記第1の端末のアップリンクRSRPが、前記集中型コントローラによって測定された、前記RRUを通して前記第1の端末によって送信されたサウンディング基準信号（SRS）の受信電力であり、前記第1の端末が前記複数の端末のうちのいずれか1つである、ステップと、
前記集中型コントローラにより、前記第1の端末によって送信された、前記m個のRRUに対応する前記第1の端末の第2のダウンリンクRSRPの合計に関する情報を受信するステップと、
前記集中型コントローラにより、前記m個のRRUに対応する前記第1の端末の前記アップリンクRSRP、および前記m個のRRUに対応する前記第1の端末の前記第2のダウンリンクRSRPの合計に関する情報に基づいて、前記第1のRRUに対応する前記第1の端末の前記第2のダウンリンクRSRPを決定するステップであって、前記第1のRRUが前記m個のRRUのうちのいずれか1つである、ステップと
を備える、請求項3または4に記載のエネルギー節約方法。
【請求項６】
前記集中型コントローラにより、前記m個のRRUに対応する前記第1の端末の前記アップリンクRSRP、および前記m個のRRUに対応する前記第1の端末の前記第2のダウンリンクRSRPの合計に関する情報に基づいて、前記第1のRRUに対応する前記第1の端末の前記第2のダウンリンクRSRPを決定する前記ステップが、
前記集中型コントローラにより、予め設定されたアルゴリズムに基づいて、前記第1のRRUに対応する前記第1の端末の前記第2のダウンリンクRSRPの線形値を決定するステップであって、前記予め設定されたアルゴリズムが
【数１】
2021533608.tif 000009
であり、Suplink RSRPが、前記m個のRRUに対応する前記第1の端末の前記アップリンクRSRPの線形値の合計であり、Sdownlink RSRPが、前記m個のRRUに対応する前記第1の端末の前記第2のダウンリンクRSRPの線形値の合計であり、RSRP1’が、前記第1のRRUに対応する前記第1の端末のアップリンクRSRPの線形値であり、RSRP1が、前記第1のRRUに対応す前記第1の端末の前記第2のダウンリンクRSRPの線形値である、ステップと、
前記集中型コントローラにより、前記第1のRRUに対応する前記第1の端末の前記第2のダウンリンクRSRPの線形値に基づいて、前記第1のRRUに対応する前記第1の端末の前記第2のダウンリンクRSRPを決定するステップと
を備える、請求項5に記載のエネルギー節約方法。
【請求項７】
前記集中型コントローラにより、前記m個のRRUの中のn個のRRUを決定する前記ステップが、
前記集中型コントローラにより、前記m個のRRUの中のいずれかj個のRRUに対応する前記複数の端末の各々の第1のダウンリンクRSRPの合計が、第1の予め設定された値以上であるかどうかを判定するステップと、
そうであるならば、前記集中型コントローラにより、前記j個のRRUを前記n個のRRUとして決定するステップ、または
そうでないならば、前記集中型コントローラにより、前記n個のRRUが決定されるまで、j＝j＋1を割り当て、前記m個のRRUの中のいずれかj個のRRUに対応する前記複数の端末の各々の第1のダウンリンクRSRPの合計が、前記第1の予め設定された値以上であるかどうかを判定し続けるステップであって、jの初期値が予め設定された値である、ステップと
を備える、請求項1から6のいずれか一項に記載のエネルギー節約方法。
【請求項８】
前記集中型コントローラにより、前記m個のRRUの中のn個のRRUを決定する前記ステップの前に、前記エネルギー節約方法が、
前記集中型コントローラにより、エネルギー節約モードに入ることを決定するステップ
をさらに備える、請求項1から7のいずれか一項に記載のエネルギー節約方法。
【請求項９】
エネルギー節約装置であって、前記エネルギー節約装置がメモリおよびプロセッサを備え、
前記メモリがコンピュータ実行可能命令を記憶するように構成され、前記プロセッサが前記メモリに記憶された前記コンピュータ実行可能命令を実行して、前記エネルギー節約装置が請求項1から8のいずれか一項に記載のエネルギー節約方法を実行することを可能にする、エネルギー節約装置。
【請求項１０】
命令を備えるコンピュータ可読記憶媒体であって、前記命令がコンピュータにおいて実行されるとき、前記コンピュータが請求項1から8のいずれか一項に記載のエネルギー節約方法を実行することが可能になる、コンピュータ可読記憶媒体。
【発明の詳細な説明】
【技術分野】
【０００１】
この出願は、通信技術の分野、特に、エネルギー節約方法および装置、ならびにコンピュータ可読記憶媒体に関する。
【背景技術】
【０００２】
分散されたピコ基地局（LampSite）は、屋内ネットワークカバレージを提供するように構成される。従来の基地局（ベースバンド処理ユニット（building baseband unit、略してBBU）およびリモート無線ユニット（remote radio unit、略してRRU）を含む基地局）とは異なり、LampSiteは、コストを削減し、ネットワークカバレージを改善するために、BBU＋rHub＋pRRUアーキテクチャを採用している。具体的には、LampSiteアーキテクチャは1つのBBUおよび複数のpRRUを含み、複数のpRRUはrHubを通してBBUに接続される。Hubはワイヤレスハブを表現し、rはRRUを表現し、rHubはRRUに接続されたハブを表現する。pRRUのpはピコ（pico）を表現する。一般に、中規模または大規模の建物の屋内エリアは、20,000〜50,000平方メートル、または100,000平方メートルにも達する。そのような広いエリアにわたってネットワークカバレージを実現するためには、LampSiteアーキテクチャ内に数十または数百のpRRUが必要とされる。pRRUの数が比較的大きいので、複数のpRRUが長時間動作するとき大きな電力消費が引き起こされる。
【発明の概要】
【課題を解決するための手段】
【０００３】
この出願の実施形態は、LampSiteの電力消費を削減するために、エネルギー節約方法および装置、ならびにコンピュータ可読記憶媒体を提供する。
【０００４】
第1の態様によれば、エネルギー節約方法が提供される。エネルギー節約方法は通信システムに適用され、通信システムは、集中型コントローラおよび集中型コントローラに接続されたm個のRRUを含み、mは1より大きい整数である。エネルギー節約方法は以下を含む。集中型コントローラがm個のRRUの中のn個のRRUを決定する。n個のRRUに対応する同じ端末の第1のダウンリンクRSRPの合計は、第1の予め設定された値以上である。1つのRRUは、複数の端末の第1のダウンリンクRSRPに対応する。1つのRRUに対応する1つの端末の第1のダウンリンクRSRPは、集中型コントローラによって推定された、端末によって測定された、対応する第1のRS送信電力でRRUによって送信されたRSの、受信電力である。1つのRRUに対応する第1のRS送信電力は、RRUに対応する第2のRS送信電力に対して電力増加が実行された後に取得されたRS送信電力である。m個のRRUに対応する第2のRS送信電力はすべて事前に構成されている。第1の予め設定された値は、複数の端末がダウンリンクサービスを実行するときに到達されるべきレベル値である。nは0より大きくmより小さい整数である。集中型コントローラが、m個のRRUの中にある、n個のRRUとは異なるRRUをオフにする。集中型コントローラが、n個のRRUの各々に対応する第2のRS送信電力を対応する第1のRS送信電力に増やし、n個のRRUの各々が対応する第1のRS送信電力でRSを送信することを可能にする。第1の態様において提供される方法によれば、RRUのRS送信電力が増やされるので、m個のRRUの中のn個のRRUは、セルのダウンリンクカバレージ要件を満たすことができる。したがって、m個のRRUの中にある、n個のRRUとは異なるRRUをオフにして、通信システムの電力消費を削減することができる。第1の態様において提供される方法によれば、セルのダウンリンクカバレージ要件が満たされ、ネットワークKPIのパフォーマンスも保証される。
【０００５】
可能な実装では、集中型コントローラがn個のRRUの各々に対応する第2のRS送信電力を対応する第1のRS送信電力に増やすことは以下を含む。集中型コントローラが、データ送信電力を削減し、RS送信電力を増大させて、n個のRRUの各々に対応する第2のRS送信電力を対応する第1のRS送信電力に増やす。その代わりに、集中型コントローラが、RRUが属する論理セルのサービス帯域幅における全体のRS送信電力をサービス帯域幅の中央の帯域幅に集中させて、n個のRRUの各々に対応する第2のRS送信電力を対応する第1のRS送信電力に増やす。この可能な実装では、RRUのRS送信電力を増やす複数の式が提供されるので、この出願の実施形態において提供される方法は、より多くの実装の可能性を有する。
【０００６】
可能な実装では、集中型コントローラがm個のRRUの中のn個のRRUを決定することの前に、エネルギー節約方法はさらに以下を含む。集中型コントローラが、m個のRRUの各々に対応する複数の端末の第2のダウンリンクRSRPを決定する。1つのRRUに対応する1つの端末の第2のダウンリンクRSRPは、端末によって測定された、対応する第2のRS送信電力でRRUによって送信されたRSの、受信電力である。集中型コントローラは、m個のRRUの各々の増やされたRS送信電力を決定する。集中型コントローラは、m個のRRUの各々に対応する複数の端末の第2のダウンリンクRSRP、および各RRUの増やされたRS送信電力に基づいて、m個のRRUの各々に対応する複数の端末の第1のダウンリンクRSRPを決定する。この可能な実装では、RRUの第1のダウンリンクRSRPを取得する方式が提供される。
【０００７】
可能な実装では、集中型コントローラが、RRUが属する論理セルのサービス帯域幅における全体のRS送信電力をサービス帯域幅の中央の帯域幅に集中させて、n個のRRUの各々に対応する第2のRS送信電力を対応する第1のRS送信電力に増やすことの前に、エネルギー節約方法はさらに以下を含む。集中型コントローラが、n個のRRUの各々の増やされたRS送信電力に基づいて、n個のRRUに対応する中央の帯域幅を決定する。この可能な実装では、中央の帯域幅を決定する方式が提供される。
【０００８】
可能な実装では、集中型コントローラがm個のRRUの中の第1のRRUに対応する第1の端末の第2のダウンリンクRSRPを決定することは以下を含む。集中型コントローラがm個のRRUに対応する第1の端末のアップリンクRSRPを測定する。1つのRRUに対応する第1の端末のアップリンクRSRPは、集中型コントローラによって測定された、RRUを通して第1の端末によって送信されたSRSの、受信電力である。第1の端末は複数の端末のうちのいずれか1つである。集中型コントローラが、第1の端末によって送信された、m個のRRUに対応する第1の端末の第2のダウンリンクRSRPの合計に関する情報を受信する。集中型コントローラが、m個のRRUに対応する第1の端末のアップリンクRSRP、およびm個のRRUに対応する第1の端末の第2のダウンリンクRSRPの合計に関する情報に基づいて、第1のRRUに対応する第1の端末の第2のダウンリンクRSRPを決定する。第1のRRUはm個のRRUのうちのいずれか1つである。この可能な実装では、RRUの第2のダウンリンクRSRPを取得する方式が提供される。
【０００９】
可能な実装では、集中型コントローラが、m個のRRUに対応する第1の端末のアップリンクRSRP、およびm個のRRUに対応する第1の端末の第2のダウンリンクRSRPの合計に関する情報に基づいて、第1のRRUに対応する第1の端末の第2のダウンリンクRSRPを決定することは以下を含む。集中型コントローラが、予め設定されたアルゴリズムに基づいて、第1のRRUに対応する第1の端末の第2のダウンリンクRSRPの線形値を決定する。予め設定されたアルゴリズムは
【００１０】
【数１】
2021533608.tif 000003
【００１１】
であり、Suplink RSRPは、m個のRRUに対応する第1の端末のアップリンクRSRPの線形値の合計であり、Sdownlink RSRPは、m個のRRUに対応する第1の端末の第2のダウンリンクRSRPの線形値の合計であり、RSRP1’は、第1のRRUに対応する第1の端末のアップリンクRSRPの線形値であり、RSRP1は、第1のRRUに対応する第1の端末の第2のダウンリンクRSRPの線形値である。集中型コントローラが、第1のRRUに対応する第1の端末の第2のダウンリンクRSRPの線形値に基づいて、第1のRRUに対応する第1の端末の第2のダウンリンクRSRPを決定する。この可能な実装では、RRUの第2のダウンリンクRSRPを決定する方式が提供される。
【００１２】
可能な実装では、集中型コントローラがm個のRRUの中のn個のRRUを決定することは以下を含む。集中型コントローラが、m個のRRUの中のいずれかj個のRRUに対応する複数の端末の各々の第1のダウンリンクRSRPの合計が、第1の予め設定された値以上であるかどうかを判定し、そうであるならば、集中型コントローラがj個のRRUをn個のRRUとして決定し、またはそうでないならば、集中型コントローラが、n個のRRUが決定されるまで、j＝j＋1を割り当て、m個のRRUの中のいずれかj個のRRUに対応する複数の端末の各々の第1のダウンリンクRSRPの合計が、第1の予め設定された値以上であるかどうかを判定し続ける。jの初期値は予め設定された値である。この可能な実装では、m個のRRUの中のn個のRRUは、初期値として予め設定された値を使用することによって決定されるので、決定されたn個のRRUの数は可能な限り少なくすることができる。これは、通信システムの電力消費をさらに削減する。
【００１３】
可能な実装では、集中型コントローラがm個のRRUの中のn個のRRUを決定することの前に、エネルギー節約方法はさらに以下を含む。集中型コントローラがエネルギー節約モードに入ることを決定する。この可能な実装では、集中型コントローラは、通信システムがエネルギーを節約する必要があるときに通信システムの電力消費を削減するように、エネルギー節約モードに入ることを決定するときに前述の方法を実行し得る。
【００１４】
第2の態様によれば、エネルギー節約装置が提供される。エネルギー節約装置は通信システム内に配置され、通信システムは、エネルギー節約装置に接続されたm個のRRUをさらに含み、mは1より大きい整数である。エネルギー節約装置は処理ユニットを含む。処理ユニットは、m個のRRUの中のn個のRRUを決定するように構成される。n個のRRUに対応する同じ端末の第1のダウンリンクRSRPの合計は、第1の予め設定された値以上である。1つのRRUは、複数の端末の第1のダウンリンクRSRPに対応する。1つのRRUに対応する1つの端末の第1のダウンリンクRSRPは、エネルギー節約装置によって推定された、端末によって測定された、対応する第1のRS送信電力でRRUによって送信されたRSの、受信電力である。1つのRRUに対応する第1のRS送信電力は、RRUに対応する第2のRS送信電力に対して電力増加が実行された後に取得されたRS送信電力である。m個のRRUに対応する第2のRS送信電力はすべて事前に構成されている。第1の予め設定された値は、複数の端末がダウンリンクサービスを実行するときに到達されるべきレベル値である。nは0より大きくmより小さい整数である。処理ユニットは、m個のRRUの中にある、n個のRRUとは異なるRRUをオフにするようにさらに構成される。処理ユニットは、n個のRRUの各々に対応する第2のRS送信電力を対応する第1のRS送信電力に増やし、n個のRRUの各々が対応する第1のRS送信電力でRSを送信することを可能にするようにさらに構成される。
【００１５】
可能な実装では、処理ユニットは、具体的には、データ送信電力を削減し、RS送信電力を増大させて、n個のRRUの各々に対応する第2のRS送信電力を対応する第1のRS送信電力に増やすか、またはRRUが属する論理セルのサービス帯域幅における全体のRS送信電力をサービス帯域幅の中央の帯域幅に集中させて、n個のRRUの各々に対応する第2のRS送信電力を対応する第1のRS送信電力に増やすように構成される。
【００１６】
可能な実装では、処理ユニットは、m個のRRUの各々に対応する複数の端末の第2のダウンリンクRSRPを決定し、1つのRRUに対応する1つの端末の第2のダウンリンクRSRPは、端末によって測定された、対応する第2のRS送信電力でRRUによって送信されたRSの、受信電力であり、m個のRRUの各々の増やされたRS送信電力を決定し、m個のRRUの各々に対応する複数の端末の第2のダウンリンクRSRP、および各RRUの増やされたRS送信電力に基づいて、m個のRRUの各々に対応する複数の端末の第1のダウンリンクRSRPを決定するようにさらに構成される。
【００１７】
可能な実装では、処理ユニットは、n個のRRUの各々の増やされたRS送信電力に基づいて、n個のRRUに対応する中央の帯域幅を決定するようにさらに構成される。
【００１８】
可能な実装では、エネルギー節約装置は通信ユニットをさらに含む。処理ユニットは、具体的には、m個のRRUに対応する第1の端末のアップリンクRSRPを測定し、1つのRRUに対応する第1の端末のアップリンクRSRPは、エネルギー節約装置によって測定された、RRUを通して第1の端末によって送信されたSRSの、受信電力であり、第1の端末は複数の端末のうちのいずれか1つであり、第1の端末によって送信された、m個のRRUに対応する第1の端末の第2のダウンリンクRSRPの合計に関する情報を、通信ユニットを通して受信し、m個のRRUに対応する第1の端末のアップリンクRSRP、およびm個のRRUに対応する第1の端末の第2のダウンリンクRSRPの合計に関する情報に基づいて、第1のRRUに対応する第1の端末の第2のダウンリンクRSRPを決定するように構成され、第1のRRUはm個のRRUのうちのいずれか1つである。
【００１９】
可能な実装では、処理ユニットは、具体的には、予め設定されたアルゴリズムに基づいて、第1のRRUに対応する第1の端末の第2のダウンリンクRSRPの線形値を決定し、予め設定されたアルゴリズムは
【００２０】
【数２】
2021533608.tif 000004
【００２１】
であり、Suplink RSRPは、m個のRRUに対応する第1の端末のアップリンクRSRPの線形値の合計であり、Sdownlink RSRPは、m個のRRUに対応する第1の端末の第2のダウンリンクRSRPの線形値の合計であり、RSRP1’は、第1のRRUに対応する第1の端末のアップリンクRSRPの線形値であり、RSRP1は、第1のRRUに対応する第1の端末の第2のダウンリンクRSRPの線形値であり、第1のRRUに対応する第1の端末の第2のダウンリンクRSRPの線形値に基づいて、第1のRRUに対応する第1の端末の第2のダウンリンクRSRPを決定するように構成される。
【００２２】
可能な実装では、処理ユニットは、具体的には、m個のRRUの中のいずれかj個のRRUに対応する複数の端末の各々の第1のダウンリンクRSRPの合計が、第1の予め設定された値以上であるかどうかを判定し、そうであるならば、j個のRRUをn個のRRUとして決定し、またはそうでないならば、n個のRRUが決定されるまで、j＝j＋1を割り当て、m個のRRUの中のいずれかj個のRRUに対応する複数の端末の各々の第1のダウンリンクRSRPの合計が、第1の予め設定された値以上であるかどうかを判定し続けるように構成される。jの初期値は予め設定された値である。
【００２３】
可能な実装では、処理ユニットは、エネルギー節約モードに入ることを決定するようにさらに構成される。
【００２４】
第3の態様によれば、エネルギー節約装置が提供される。エネルギー節約装置は、メモリ、プロセッサ、および通信バスを含む。メモリは、コンピュータ実行可能命令を記憶するように構成される。プロセッサは、通信バスを通してメモリに接続される。プロセッサは、メモリに記憶されたコンピュータ実行可能命令を実行して、装置が第1の態様において提供されたいずれかの方法を実行することを可能にする。装置は、チップの製品の形式で存在し得る。
【００２５】
第4の態様によれば、コンピュータ可読記憶媒体が提供される。コンピュータ可読記憶媒体は命令を含む。命令がコンピュータにおいて実行されるとき、コンピュータは、第1の態様において提供されたいずれかの方法を実行することが可能になる。
【００２６】
第5の態様によれば、命令を含むコンピュータプログラム製品が提供される。コンピュータプログラム製品がコンピュータにおいて動作するとき、コンピュータは、第1の態様において提供されたいずれかの方法を実行することが可能になる。
【００２７】
第2の態様から第5の態様のいずれか1つにおける実装の有益な効果については、第1の態様において提供された対応する実装によってもたらされる技術的効果を参照されたい。詳細はここで再び記載されない。
【図面の簡単な説明】
【００２８】
【図１】この出願の一実施形態による、LampSiteの概略アーキテクチャ図である。
【図２】この出願の一実施形態による、アプリケーションシナリオの概略図である。
【図３】この出願の一実施形態による、エネルギー節約装置のハードウェアの概略構造図である。
【図４】この出願の一実施形態による、エネルギー節約方法のフローチャートである。
【図５】この出願の一実施形態による、RRUのRS送信電力が増やされる前後のセルのダウンリンクカバレージ間の比較の概略図である。
【図６】この出願の一実施形態による、RRUのRS送信電力を増やす効果の概略図である。
【図７】この出願の一実施形態による、アップリンクおよびダウンリンクRSの受信電力の概略図である。
【図８】この出願の一実施形態による、エネルギー節約装置の概略構成図である。
【発明を実施するための形態】
【００２９】
以下は、この出願の実施形態における添付図面を参照して、この出願の実施形態における技術的解決策を記載する。この出願の記載では、異なって指定されなければ、「／」は「または」を意味する。たとえば、A／BはAまたはBを表現し得る。この明細書において用語「および／または」は、関連付けられたオブジェクトを記載するための関連付け関係のみを記載し、3つの関係が存在し得ることを表現する。たとえば、Aおよび／またはBは、以下の3つの場合、すなわち、Aのみが存在する、AとBの両方が存在する、Bのみが存在する、を表現し得る。加えて、「複数の」は2つまたは2つより多いことを意味する。「第1」および「第2」のような用語は、数量または実行順序に対する限定を構成せず、「第1」および「第2」のような用語は、明確な違いを示さない。
【００３０】
この出願の実施形態における技術的解決策は、様々な通信システム、たとえば、モバイル通信のためのグローバルシステム（global system for mobile communication、略してGSM）、発展型ユニバーサル地上無線アクセス（evolved UTRA、略してE-UTRA）、ユニバーサル・モバイル・テレコミュニケーション・システム（universal mobile telecommunications system、略してUMTS）、UMTSの発展型バージョン、ロング・ターム・エボリューション（long term evolution、略してLTE）およびLTEに基づいて発展した様々なバージョン、ならびに第5世代（5th-generation、略して5G）通信システムまたは新無線（new radio、略してNR）のような次世代通信システムに適用され得る。
【００３１】
たとえば、この出願の実施形態において提供される方法は、LampSiteシナリオに適用され得る。図1に表されたLampSiteアーキテクチャを参照すると、LampSiteアーキテクチャは、1つのBBUおよびrHubを通してBBUに接続されたm個のpRRUを含む。m個のpRRUは同じ論理セルに属する。一般に、複数のpRRUが結合して情報を送信する（たとえば、結合してデータおよび／または基準信号（reference signal、略してRS）を送信する）とき、言い換えれば、端末が複数のpRRUを通してBBUに情報を送信するとき、BBUは異なるpRRUによって送信された情報の間で区別しない。BBUが複数のpRRUを通して端末に情報を送信するとき、端末は異なるpRRUによって送信された情報の間で区別しない。この場合、この出願の実施形態において提供される方法における集中型コントローラはBBUであってよく、RRUはpRRUであってよい。
【００３２】
この出願の実施形態において提供される方法は、図2に表されたシナリオにさらに適用され得る。シナリオはm個のBBUを含み、各BBUは1つのRRUに接続され、各RRUは異なる論理セルに属する。この場合、この出願の実施形態において提供される方法における集中型コントローラは、m個のBBUを制御するように構成された集中型制御ユニットであってよく、具体的には、m個のBBUの中のBBUであってよく、またはm個のBBUとは異なる集中型制御ユニットであってよい。集中型コントローラは、それぞれ、m個のBBUを通してm個のRRUに接続され得る。
【００３３】
LampSiteシナリオでは、エネルギー節約方法は以下の通りである。軽いトラフィックの時間の間、建物の入口／出口またはキーゲートウェイにおけるpRRUが電源オンに保たれ、そのpRRUが属する論理セルが有効にされ、サービス監視がリアルタイムで実行される。ユーザが移動するにつれて、別のpRRUがリモートで電源オンにされる。このようにして、ユーザが来るときネットワークが有効にされる。ユーザが屋内エリアを離れるとき、pRRUが電源オフにされる。このようにして、ユーザが離れるときネットワークが無効にされる。LTE規格では、端末がセルにキャンプオンするときにはランダムアクセスは開始されないので、端末は検出されない可能性がある。特定の位置にあるpRRUが誤って選択されるならば、端末も検出されない可能性がある。
【００３４】
この出願の一実施形態は、エネルギー節約装置30のハードウェアの概略構造図を提供する。図3に表されたように、エネルギー節約装置30は、以下において集中型コントローラであり得る。エネルギー節約装置30は、プロセッサ301、通信バス302、メモリ303、および少なくとも1つの通信インターフェース304を含む。
【００３５】
プロセッサ301は、1つまたは複数の汎用中央処理ユニット（central processing unit、略してCPU）、マイクロプロセッサ、特定用途向け集積回路（application-specific integrated circuit、略してASIC）、またはこの出願の解決策においてプログラム実行を制御するように構成された1つまたは複数の集積回路であり得る。
【００３６】
通信バス302は、情報を送信するために、前述の構成要素の間の通信のために使用される。
【００３７】
通信インターフェース304は、トランシーバタイプの任意の装置を使用してよく、別のデバイスまたは通信ネットワーク、たとえば、イーサネット、無線アクセスネットワーク（radio access network、略してRAN）、ワイヤレス・ローカル・エリア・ネットワーク（wireless local area network、略してWLAN）と通信するように構成される。
【００３８】
メモリ303は、この出願の解決策を実行するためのコンピュータ実行可能命令を記憶するように構成され、プロセッサ301は実行を制御する。プロセッサ301は、メモリ303に記憶されたコンピュータ実行可能命令を実行して、この出願の以下の実施形態において提供される方法を実現し、たとえば、以下の集中型コントローラの動作を実行するように構成される。メモリ303は、リード・オンリ・メモリ（read-only memory、略してROM）もしくは静的な情報および命令を記憶することができる別のタイプの静的ストレージデバイス、ランダムアクセスメモリ（random access memory、略してRAM）もしくは情報および命令を記憶することができる別のタイプの動的ストレージデバイスであってよく、または電気的消去可能プログラマブル・リード・オンリ・メモリ（electrically erasable programmable read-only memory、略してEEPROM）、コンパクトディスク・リード・オンリ・メモリ（compact disc read-only memory、略してCD-ROM）もしくは別のコンパクトディスクストレージ、（圧縮光ディスク、レーザディスク、光ディスク、デジタル多用途ディスク、ブルーレイ光ディスク、または同様のものを含む）光ディスクストレージ、磁気ディスク記憶媒体もしくは別の磁気ストレージデバイス、または予期されるプログラムコードを命令もしくはデータ構造の形式で搬送もしくは記憶することができ、コンピュータによってアクセスされることが可能である任意の他の媒体であってよい。しかしながら、メモリ303はそれらに限定されない。メモリ303は、単独に存在してよく、通信バス302を通してプロセッサ301に接続される。その代わりに、メモリ303はプロセッサ301と統合されてよい。
【００３９】
任意選択で、この出願のこの実施形態では、コンピュータ実行可能命令は、アプリケーションプログラムコードとも呼ばれ得る。これは、この出願のこの実施形態では具体的に限定されない。
【００４０】
一実施形態では、プロセッサ301は、1つまたは複数のCPU、たとえば、図3のCPU0およびCPU1を含み得る。
【００４１】
一実施形態では、エネルギー節約装置30は、複数のプロセッサ、たとえば、図3のプロセッサ301およびプロセッサ308を含み得る。プロセッサの各々は、シングルコア（single-CPU）プロセッサまたはマルチコア（multi-CPU）プロセッサであり得る。ここでのプロセッサは、データ（たとえば、コンピュータプログラム命令）を処理するように構成された1つまたは複数のデバイス、回路、および／または処理コアを指し得る。
【００４２】
一実施形態では、エネルギー節約装置30は、出力デバイス305および入力デバイス306をさらに含み得る。出力デバイス305は、プロセッサ301と通信し、複数の方式で情報を表示し得る。入力デバイス306は、プロセッサ301と通信し、複数の方式でユーザの入力を受け取り得る。
【００４３】
この出願の一実施形態は、通信システムに適用されるエネルギー節約方法を提供する。通信システムは、集中型コントローラ、および集中型コントローラに接続されたm個のRRUを含み、mは1より大きい整数である。図4に表されたように、エネルギー節約方法は以下のステップを含む。
【００４４】
401：集中型コントローラがm個のRRUの中のn個のRRUを決定し、n個のRRUに対応する同じ端末の第1のダウンリンク基準信号受信電力（reference signal receiving power、略してRSRP）の合計は第1の予め設定された値以上であり、1つのRRUは複数の端末の第1のダウンリンクRSRPに対応し、1つのRRUに対応する1つの端末の第1のダウンリンクRSRPは、集中型コントローラによって推定され、端末によって測定され、対応する第1のRS送信電力でRRUによって送信されたRSの受信電力であり、1つのRRUに対応する第1のRS送信電力は、RRUに対応する第2のRS送信電力に対して電力増加が実行された後に取得されたRS送信電力であり、m個のRRUに対応する第2のRS送信電力はすべて事前に構成され、第1の予め設定された値は、複数の端末がダウンリンクサービスを実行するときに到達されるべきレベル値であり、nは0より大きくmより小さい整数である。
【００４５】
第1の予め設定された値は、具体的には、複数の端末がダウンリンクサービスを実行するときに到達されるべき最小のレベル値であり得る。第1の予め設定された値は、事業者によって構成されてよく、またはダウンリンクサービスの要件に基づいて集中型コントローラによって決定されてよい。
【００４６】
たとえば、表1を参照すると、6つの端末が存在し、m＝4であり、Pdij1が、集中型コントローラによって推定された、対応する第1のRS送信電力で第jのRRUによって送信されるとともに第iの端末によって受信されたRSの、受信電力であり、すなわち、第jのRRUに対応する第iの端末の第1のダウンリンクRSRPであると仮定する。iは0より大きく6以下の整数であり、jは0より大きく4以下の整数である。
【００４７】
【表１】
2021533608.tif 000005
【００４８】
表1に表された例に基づいて、iが1、2、3、4、5、または6であるときにPdi21、Pdi31、およびPdi41の合計が第1の予め設定された値以上であるならば、n個のRRUは、RRU2、RRU3、およびRRU4であり得る。
【００４９】
n個のRRUに対応する同じ端末の第1のダウンリンクRSRPの合計が第1の予め設定された値以上であるとき、セルのダウンリンクカバレージエリアは端末の位置をカバーし得る。この出願のこの実施形態では、セルのダウンリンクカバレージエリアは、複数の端末の位置をカバーし得る。この出願のこの実施形態では、複数の端末の各々がサンプルであり、各サンプルによって測定されたRSの受信電力は、非エネルギー節約モードにおける集中型コントローラによってサンプリングされ得る。サンプルはランダムに決定され、数十または数百のサンプルが存在し得る。したがって、セルのダウンリンクカバレージエリアが複数の端末の位置をカバーすることができるとき、セルのダウンリンクカバレージは要件を満たすと考えられ得る。この出願のこの実施形態における「セル」の記載では、この出願が図1に表されたシナリオに適用されるとき、セルはBBUのセルであり、この出願が図2に表されたシナリオに適用されるとき、セルはm個のBBUのセルを含む。
【００５０】
異なるRRUに対応する第2のRS送信電力は同じであってよく、または異なってよく、異なるRRUに対応する第2のRS送信電力の増やされた送信電力は同じであってよく、または異なってよく、異なるRRUに対応する第1のRS送信電力は同じであってよく、または異なってよい。
【００５１】
この出願のこの実施形態において提供される方法は、通信システムがエネルギー節約モードに入る必要があるときに実行され得る。具体的には、ステップ401の前に、方法はさらに以下を含み得る。集中型コントローラがエネルギー節約モードに入ることを決定する。
【００５２】
この出願が図1に表されたシナリオに適用されるとき、集中型コントローラはBBUであり、BBUは、BBUのセルの負荷（またはユーザの数）を定期的に収集し得る。負荷（またはユーザの数）が予め設定されたしきい値よりも大きいとき、BBUはエネルギー節約モードに入ることを決定し、次いで、ステップ401および続く方法を実行する。その代わりに、BBUは、指定されたエネルギー節約時間の開始において、エネルギー節約モードに入ることを決定し得る。たとえば、エネルギー節約時間が22:00から8:00であるならば、BBUは22:00にエネルギー節約モードに入ることを決定する。
【００５３】
この出願が図2に表されたシナリオに適用されるとき、集中型コントローラは、m個のBBUのセルの各々の負荷（またはユーザの数）を定期的に収集し得る。負荷（またはユーザの数）が予め設定されたしきい値よりも大きいとき、集中型コントローラは、エネルギー節約モードに入ることを決定し、次いで、ステップ401および続く方法を実行する。その代わりに、集中型コントローラは、指定されたエネルギー節約時間の開始において、エネルギー節約モードに入ることを決定し得る。たとえば、エネルギー節約時間が22:00から8:00であるならば、集中型コントローラは22:00にエネルギー節約モードに入ることを決定する。
【００５４】
402：集中型コントローラが、m個のRRUの中にある、n個のRRUとは異なるRRUをオフにする。
【００５５】
集中型コントローラが1つのRRUをオフにする方式は、具体的には、RRUのキャリアをオフにすること、RRUの無線周波数チャネルをオフにすること、RRUのRS送信をオフにすること、RRUを電源オフすること、および同様のものを含み得る。
【００５６】
403：集中型コントローラが、n個のRRUの各々に対応する第2のRS送信電力を対応する第1のRS送信電力に増やし、n個のRRUの各々が対応する第1のRS送信電力でRSを送信することを可能にする。
【００５７】
ステップ402およびステップ403の実行順序は限定されない。
【００５８】
セルのダウンリンクカバレージは、セルのダウンリンクRSRPの値に依存することが留意されるべきである。RRUのRS送信電力が増やされた後、セルのダウンリンクRSRPの値は増大する。この場合、m個のRRUの中のいくつかのRRUは、セルのダウンリンクカバレージ要件を満たすことができる。したがって、通信システムの電力消費を削減するために、他のRRUがオフにされることが可能である。たとえば、図5を参照すると、RRUのRS送信電力が増やされる前は、図の12個の端末をカバーするために、6つのRRUすべてがオンにされる必要がある。RRUのRS送信電力が増やされた後は、図の12個の端末をカバーするために、6つのRRUのうちの3つだけがオンにされる。したがって、通信システムの電力消費を削減するために、他の3つのRRUはオフにされ得る。
【００５９】
ステップ403の特定の実装では、RRUのRS送信電力は、以下の2つの方式のいずれかで増やされ得る。
【００６０】
方式1：集中型コントローラが、データ送信電力を削減し、RS送信電力を増大させて、n個のRRUの各々に対応する第2のRS送信電力を対応する第1のRS送信電力に増やす。
【００６１】
この出願が図1に表されたシナリオに適用されるとき、集中型コントローラは、BBUによって送信されるすべてのRSに、削減されたデータ送信電力を均一に割り当て得る。
【００６２】
この出願が図2に表されたシナリオに適用されるとき、集中型コントローラは、各BBUによって送信されるすべてのRSに、各BBUの論理セルのサービス帯域幅において削減されたデータ送信電力を均一に割り当て得る。
【００６３】
たとえば、図6に表されたように、通常の場合、データ送信電力およびRS送信電力は、それぞれP1およびP2である。方式1の処理の後、データ送信電力はP3に変化し、RS送信電力はP4に変化する。P1はP3より大きく、P2はP4より小さい。
【００６４】
図1に表されたシナリオでは、データ送信電力が削減され、節約された電力がRSを送信するために使用されるので、各RRUに対応するRS送信電力は約3dBだけ増やされ得る。
【００６５】
方式2：集中型コントローラが、RRUが属する論理セルのサービス帯域幅における全体のRS送信電力をサービス帯域幅の中央の帯域幅に集中させて、n個のRRUの各々に対応する第2のRS送信電力を対応する第1のRS送信電力に増やす。
【００６６】
方式2の特定の実装では、集中型コントローラは、n個のRRUの各々の増やされたRS送信電力に基づいて、n個のRRUに対応する中央の帯域幅を決定する。
【００６７】
具体的には、集中型コントローラは、式1に従って、対応する第1のRS送信電力でRSを送信するために1つのRRUによって使用されるリソース要素（resource element、略してRE）の数を決定し、次いで、サービス帯域幅の中のREの位置に基づいて、中央の帯域幅を決定し得る。式1は、第2のRS送信電力×RSを送信するためのREの数＝第1のRS送信電力×RSを送信するためのREの数、である。
【００６８】
たとえば、図6に表されたように、通常の場合、データ送信電力およびRS送信電力は、それぞれP1およびP2である。方式2の処理の後、RS送信電力はP5に変化し、P2はP5より小さい。
【００６９】
図1に表されたシナリオでは、実際に使用されるダウンリンク帯域幅が削減され、全体のRS送信電力がサービス帯域幅の中央の帯域幅に集中され、RSが別の帯域幅において送信されないので、各RRUに対応するRS送信電力は約6dBから9dBに増やされ得る。
【００７０】
方式2では、任意選択で、方法はさらに以下を含む。集中型コントローラが、スケジューリング情報を端末に送信し、スケジューリング情報は、データを受信および／または送信するために端末によって使用される周波数領域リソースを含み、周波数領域リソースは中央の帯域幅である。
【００７１】
任意選択の方法では、基地局は実際に使用される帯域幅に関する情報を端末に通知してよく、端末は、データの正確な送信を保証するために、中央の帯域幅でデータを受信および／または送信する。
【００７２】
前述の実施形態は、RRUに対応するRS送信電力を増やすための2つの方法の例のみを表している。実際には、RRUに対応するRS送信電力を増やすために、別の方法が使用されてよい。たとえば、RRUが属する論理セルのサービス帯域幅の一部のデータ送信電力および／またはRS送信電力が、帯域幅の別の一部のRS送信電力を増やすために使用される。RRUに対応するRS送信電力を増やすための方法は、この出願のこの実施形態では具体的に限定されない。
【００７３】
この出願のこの実施形態において提供される方法によれば、RRUに対応するRS送信電力が増やされるので、m個のRRUの中のn個のRRUは、セルのダウンリンクカバレージ要件を満たすことができる。したがって、m個のRRUの中にある、n個のRRUとは異なるRRUがオフにされて、通信システムの電力消費を削減することができる。この出願のこの実施形態において提供される方法によれば、セルのダウンリンクカバレージ要件が満たされ、ネットワークキーパフォーマンスインジケータ（key performance indicator、略してKPI）のパフォーマンスも保証される。加えて、この出願のこの実施形態において提供される方法によれば、n個のRRUはセルのダウンリンクカバレージ要件を満たすことができるので、各端末が検出されることが可能である。
【００７４】
ステップ401の特定の実装では、以下のステップが含まれ得る。（11）集中型コントローラが、m個のRRUの中のいずれかj個のRRUに対応する複数の端末の各々の第1のダウンリンクRSRPの合計が、第1の予め設定された値以上であるかどうかを判定し、（12）そうであるならば、集中型コントローラがj個のRRUがn個のRRUであると判断し、または（13）そうでないならば、集中型コントローラが、n個のRRUが決定されるまで、j＝j＋1を割り当て、m個のRRUの中のいずれかj個のRRUに対応する複数の端末の各々の第1のダウンリンクRSRPの合計が、第1の予め設定された値以上であるかどうかを判定し続け、jの初期値は予め設定された値であり、例えば、m＝50であるとき、jの初期値は30であり得る。
【００７５】
たとえば、表1を参照すると、j個のRRUがRRU2、RRU3、およびRRU4であるならば、6つの端末のうちの端末iに対応するj個のRRUの第1のダウンリンクRSRPの合計は、Pdi21、Pdi31、およびPdi41の合計である。iが1、2、3、4、5、または6であるとき、Pdi21、Pdi31、およびPdi41の合計が第1の予め設定された値以上であるならば、j個のRRUは、RRU2、RRU3、およびRRU4であってよく、n個のRRUは、RRU2、RRU3、およびRRU4である。
【００７６】
任意選択で、ステップ401の前に、方法は以下をさらに含み得る。（21）集中型コントローラがm個のRRUの各々に対応する複数の端末の第2のダウンリンクRSRPを決定し、1つのRRUに対応する1つの端末の第2のダウンリンクRSRPは、端末によって測定された、対応する第2のRS送信電力でRRUによって送信されたRSの、受信電力であり、（22）集中型コントローラがm個のRRUの各々の増やされたRS送信電力を決定し、（23）集中型コントローラが、m個のRRUの各々に対応する複数の端末の第2のダウンリンクRSRP、および各RRUの増やされたRS送信電力に基づいて、m個のRRUの各々に対応する複数の端末の第1のダウンリンクRSRPを決定する。
【００７７】
ステップ（22）の特定の実装では、集中型コントローラは、RRUのRS送信電力を増やす方式に基づいて、RRUの増やされたRS送信電力を決定し得る。RS送信電力を増やす1つの方式は、増やされたRS送信電力の1つの値に対応し得る。たとえば、RRUのRS送信電力が前述の方式1で増やされたならば、集中型コントローラは、RRUの増やされたRS送信電力の値が3dBであり得ると判断する。RRUのRS送信電力が前述の方式2で増やされたならば、集中型コントローラは、RRUの増やされたRS送信電力の値が6dBであり得ると判断する。
【００７８】
ステップ（23）の特定の実装では、1つの端末によって測定された、対応する第2のRS送信電力で1つのRRUによって送信されたRSの、受信電力がAであり、かつRRUの増やされたRS送信電力がNであるならば、集中型コントローラによって推定された、端末によって測定された、対応する第1のRS送信電力でRRUによって送信されたRSの、受信電力はA＋Nであり、すなわち、RRUに対応する端末の第1のダウンリンクRSRPはA＋Nである。集中型コントローラは、方法に従って、各RRUに対応する各端末の第1のダウンリンクRSRPを決定し得る。
【００７９】
前述の実施形態において提供される方法は、集中型コントローラがエネルギー節約モードに入ることを決定するごとに1回実行され得る。m個のRRUの各々に対応する複数の端末の第2のダウンリンクRSRPを決定するための以下の方法は、エネルギー節約モードが有効にされるごとに実行される必要はないが、一定期間、たとえば、1か月または半年に1回実行され得る。
【００８０】
この出願が図2に表されたシナリオに適用されるとき、1つの端末は、対応する第2のRS送信電力でm個のRRUによって送信されたRSの受信電力を自律的に測定し、対応するm個のBBUに受信電力を報告してよく、次いで、m個のBBUは集中型コントローラに受信電力を報告する。同様に、別の端末も、対応する第2のRS送信電力でm個のRRUによって送信されたRSの測定された受信電力を集中型コントローラに報告し得る。
【００８１】
この出願が図1に表されたシナリオに適用されるとき、任意選択で、ステップ（21）の特定の実装では、集中型コントローラは、m個のRRUの中の第1のRRUに対応する第1の端末の第2のダウンリンクRSRPを決定し、実装は以下のステップを含み得る。（31）集中型コントローラがm個のRRUに対応する第1の端末のアップリンクRSRPを測定し、1つのRRUに対応する第1の端末のアップリンクRSRPは、集中型コントローラによって測定された、RRUを通して第1の端末によって送信されたサウンディング基準信号（sounding reference signal、略してSRS）の、受信電力であり、第1の端末は複数の端末のうちのいずれか1つであり、（32）集中型コントローラが、第1の端末によって送信された、m個のRRUに対応する第1の端末の第2のダウンリンクRSRPの合計に関する情報を受信し、（33）集中型コントローラが、m個のRRUに対応する第1の端末のアップリンクRSRP、およびm個のRRUに対応する第1の端末の第2のダウンリンクRSRPの合計に関する情報に基づいて、第1のRRUに対応する第1の端末の第2のダウンリンクRSRPを決定し、第1のRRUはm個のRRUのうちのいずれか1つである。
【００８２】
端末によって送信されたSRSは、端末がBBUの論理セルにアクセスした後に端末のためにBBUによって構成されたSRSリソース内のSRSであり得る。SRSリソースを受信した後、端末はSRSリソース内のSRSを定期的に送信する。
【００８３】
1つのアップリンクサブフレームは14個のシンボルを含み、最初の13個のシンボルはデータを送信するために使用され、最後のシンボルはSRSを送信するために使用されることが留意されるべきである。したがって、最初の13個のシンボルはデータシンボルと呼ばれることがあり、最後のシンボルはSRSシンボルと呼ばれることがある。ステップ（31）の特定の実装では、BBUは、SRSシンボル内でSRSを送信するように1つの端末を制御し得る。m個のRRUは結合せず、1つのRRUのみがアップリンク送信を実行し、すなわち、SRSシンボル内で、1つのRRUのみがオンにされ、他のRRUはオフにされる。このようにして、RRUを通して端末によって送信されたSRSのアップリンクRSRPがRRUにおいて測定される。特定の実装では、集中型コントローラは、m個のRRUの中のRRUを順番にオンにして、m個のRRUの各々に対応する端末のアップリンクRSRPを取得し得る。たとえば、m個のRRUの中の第1のRRUのみがアップリンクサブフレーム1内でオンにされて、第1のRRUに対応する端末のアップリンクRSRPを取得する。m個のRRUの中の第2のRRUのみがアップリンクサブフレーム2内でオンにされて、第2のRRUに対応する端末のアップリンクRSRPを取得する。
【００８４】
データシンボルでデータを送信するために、m個のRRUが依然として結合し得ることが留意されるべきである。
【００８５】
たとえば、表2を参照すると、6つの端末が存在し、m＝4であり、集中型コントローラによって測定された、端末1、端末2、端末3、端末4、端末5、および端末6の、RRUiに対応するアップリンクRSRPが、それぞれ、Pu1i、Pu2i、Pu3i、Pu4i、Pu5i、およびPu6iであると仮定する。
【００８６】
【表２】
2021533608.tif 000006
【００８７】
注：Puijは、集中型コントローラによって測定された、第jのRRUを通して第iの端末によって送信されたSRSの、受信電力である。
【００８８】
ステップ（32）の特定の実装では、集中型コントローラは、セルのダウンリンクRSRPを測定し報告するように各端末を制御する。m個のRRUに対応する1つの端末の第2のダウンリンクRSRPの合計に関する情報は、端末の測定報告（measurement report、略してMR）に含まれ得る。この出願が図1に表されたシナリオに適用されるとき、m個のRRUが結合してRSを送信するので、端末によって直接測定されたダウンリンクRSRPは、m個のRRUに対応する端末の第2のダウンリンクRSRPの合計であることが留意されるべきである。
【００８９】
たとえば、表3を参照すると、6つの端末が存在し、m＝4であり、Pdij2が、対応する第2のRS送信電力で第jのRRUによって送信されるとともに第iの端末によって受信されたRSの受信電力、すなわち、第jのRRUに対応する第iの端末の第2のダウンリンクRSRPであると仮定する。
【００９０】
【表３】
2021533608.tif 000007
【００９１】
ステップ（33）の特定の実装では、以下のステップが含まれ得る。（41）集中型コントローラが、予め設定されたアルゴリズムに基づいて、第1のRRUに対応する第1の端末の第2のダウンリンクRSRPの線形値を決定し、予め設定されたアルゴリズムは
【００９２】
【数３】
2021533608.tif 000008
【００９３】
であり、Suplink RSRPは、m個のRRUに対応する第1の端末のアップリンクRSRPの線形値の合計であり、Sdownlink RSRPは、m個のRRUに対応する第1の端末の第2のダウンリンクRSRPの線形値の合計であり、RSRP1’は、第1のRRUに対応する第1の端末のアップリンクRSRPの線形値であり、RSRP1は、第1のRRUに対応する第1の端末の第2のダウンリンクRSRPの線形値であり、（42）集中型コントローラが、第1のRRUに対応する第1の端末の第2のダウンリンクRSRPの線形値に基づいて、第1のRRUに対応する第1の端末の第2のダウンリンクRSRPを決定する。
【００９４】
ステップ（42）の特定の実装では、以下のステップが含まれ得る。集中型コントローラが、式2に従い、第1のRRUに対応する第1の端末の第2のダウンリンクRSRPの線形値に基づいて、第1のRRUに対応する第1の端末の第2のダウンリンクRSRPを計算し、式2は、第1のRRUに対応する第1の端末の第2のダウンリンクRSRP＝10log10（第1のRRUに対応する第1の端末の第2のダウンリンクRSRPの線形値）、である。
【００９５】
この出願は、集中型コントローラが第1のRRUに対応する第1の端末の第2のダウンリンクRSRPを決定するプロセスの一例を記載していることが留意されるべきである。実際には、プロセスは、各RRUに対応する各端末の第2のダウンリンクRSRPを決定するために使用され得る。
【００９６】
計算の正確さを保証するために、集中型コントローラが、m個のRRUの各々に対応する複数の端末のアップリンクRSRPを測定する時間と、集中型コントローラが、複数の端末の各々によって送信された、m個のRRUに対応する複数の端末の各々の第2のダウンリンクRSRPの合計に関する情報を受信する時間との間の時間間隔はたいへん小さい。その代わりに、集中型コントローラが、複数の端末によって送信された、m個のRRUに対応する複数の端末の各々の第2のダウンリンクRSRPの合計に関する情報を受信するプロセスは、集中型コントローラが、m個のRRUの各々に対応する複数の端末のアップリンクRSRPを測定するプロセス内にある。
【００９７】
以下は、予め設定されたアルゴリズムの導出を具体的に記載する。導出プロセスにおけるパラメータはすべて1つの端末に対応する。最初に、導出プロセスで使用されるパラメータが詳細に記載される。RSRPjは、端末によって測定された、対応する第2のRS送信電力でm個のRRUの中の第jのRRUによって送信されたRSの、受信電力であり、jは0より大きくm以下の整数であり、RSRPj’は、集中型コントローラによって測定された、m個のRRUの中の第jのRRUを通して端末によって送信されたSRSの、受信電力であり、Hは、アップリンク周波数帯域とダウンリンク周波数帯域の間の違いによって引き起こされるアップリンク／ダウンリンク伝送損失であり、L_RSRPjはRSRPjの線形値であり、L_RSRPj＝(RSRPj／10)10であり、L_RSRPj’はRSRPj’の線形値であり、L_RSRPj’＝(RSRPj／10)10である。
【００９８】
導出プロセスは以下の通りである。
【００９９】
アップリンクとダウンリンクの相互関係および固定差に従って、以下の式が取得されることが可能である。
RSRP1＝RSRP1’＋H      （1）
RSRP2＝RSRP2’＋H      （2）
【０１００】
式（1）および（2）は、以下に変形されることが可能である。
RSRP2−RSRP1＝RSRP2’−RSRP1’      （3）
【０１０１】
式（3）を線形値に変換することにより、以下の式が取得されることが可能である。
L_RSRP2／L_RSRP1＝L_RSRP2’／L_RSRP1’
【０１０２】
同様に、以下の式が取得されることが可能である。
L_RSRP3／L_RSRP1＝L_RSRP3’／L_RSRP1’
…
L_RSRPm／L_RSRP1＝L_RSRPm’／L_RSRP1’
【０１０３】
このようにして、（L_RSRP1＋L_RSRP2＋…＋L_RSRPm）／L_RSRP1＝（L_RSRP1’＋L_RSRP2’＋…＋L_RSRPm’）／L_RSRP1’である。
【０１０４】
以下の式がさらに取得されることが可能である。（L_RSRP1＋L_RSRP2＋…＋L_RSRPm）／L_RSRPj＝（L_RSRP1’＋L_RSRP2’＋…＋L_RSRPm’）／L_RSRPj’
【０１０５】
たとえば、図7を参照すると、m＝4であり、かつRRU1によって送信されるとともに端末によって受信されたRSの受信電力の計算が一例として使用されるならば、（L_RSRP1＋L_RSRP2＋L_RSRP3＋L_RSRP4）／L_RSRP1＝（L_RSRP1’＋L_RSRP2’＋L_RSRP3’＋L_RSRP4’）／L_RSRP1’である。L_RSRP1＋L_RSRP2＋L_RSRP3＋L_RSRP4の値は、端末によって測定され、集中型コントローラにフィードバックされ得る。L_RSRP1’、L_RSRP2’、L_RSRP3’、およびL_RSRP4’は、測定を通して集中型コントローラによって取得され得る。集中型コントローラは、式による計算を通してL_RSRP1を取得し、さらにRSRP1を取得し得る。
【０１０６】
前述は、主に方法の観点からこの出願の実施形態における解決策を記載している。前述の機能を実現するために、エネルギー節約装置は、各機能を実行するための対応するハードウェア構造および／またはソフトウェアモジュールを含むことが理解され得る。この技術分野の当業者は、この明細書に開示された実施形態に記載された例示のユニットおよびアルゴリズムのステップと組み合わせて、この出願がハードウェアまたはハードウェアとコンピュータソフトウェアの組み合わせによって実現され得ることを容易に認識するはずである。機能がハードウェアによって実行されるか、またはコンピュータソフトウェアによって駆動されるハードウェアによって実行されるかは、技術的解決策の特定の用途および設計制約に依存する。この技術分野の当業者は、特定の用途ごとに記載された機能を実現するために異なる方法を使用し得るが、その実装がこの出願の範囲を超えると考えられるべきでない。
【０１０７】
この出願の実施形態では、機能ユニットの区分は、方法の例に基づいて、エネルギー節約装置に対して実行され得る。たとえば、機能ユニットは、対応する機能に基づいて区分されてよく、または2つまたは2つより多くの機能が1つの処理ユニットに統合されてよい。統合されたユニットは、ハードウェアの形式で実現されてよく、またはソフトウェア機能ユニットの形式で実現されてよい。この出願の実施形態では、ユニットへの区分は一例であり、単に論理的な機能区分であることが留意されるべきである。実際の実装では、別の区分方式が使用され得る。
【０１０８】
たとえば、統合された機能モジュールが使用されるとき、図8は、前述の実施形態におけるエネルギー節約装置80の可能な概略構造図である。図8を参照すると、装置80は、処理ユニット801および通信ユニット802を含んでよく、記憶ユニット803をさらに含んでよい。
【０１０９】
処理ユニット801は、エネルギー節約装置の動作を制御および管理するように構成される。たとえば、処理ユニット801は、図4におけるステップを実行する際のエネルギー節約装置、および／またはこの出願の実施形態に記載された別のプロセスにおいてエネルギー節約装置によって実行される動作をサポートするように構成される。通信ユニット802は、別のネットワークデバイスと通信する際に、たとえば、RRUを通して端末と通信する際に、エネルギー節約装置をサポートするように構成される。記憶ユニット803は、エネルギー節約装置のプログラムコードおよびデータを記憶するように構成される。
【０１１０】
処理ユニット801はプロセッサまたはコントローラであってよく、通信ユニット802は通信インターフェースであってよく、記憶ユニット803はメモリであってよい。処理ユニット801がプロセッサであり、通信ユニット802が通信インターフェースであり、記憶ユニット803がメモリであるとき、この出願のこの実施形態における装置は、図3に表された装置であり得る。
【０１１１】
プロセッサ301は、エネルギー節約装置の動作を制御および管理するように構成される。たとえば、プロセッサ301は、図4におけるステップを実行する際のエネルギー節約装置、および／またはこの出願の実施形態に記載された別のプロセスにおいてエネルギー節約装置によって実行される動作をサポートするように構成される。通信インターフェース304は、別のネットワークデバイスと通信する際に、たとえば、RRUを通して端末と通信する際に、エネルギー節約装置をサポートするように構成される。メモリ303は、エネルギー節約装置のプログラムコードおよびデータを記憶するように構成される。
【０１１２】
この出願の一実施形態は、命令を含むコンピュータ可読記憶媒体をさらに提供する。命令がコンピュータにおいて実行されるとき、コンピュータは前述の方法を実行することが可能になる。
【０１１３】
この出願の一実施形態は、命令を含むコンピュータプログラム製品をさらに提供する。コンピュータプログラム製品がコンピュータにおいて動作するとき、コンピュータは前述の方法を実行することが可能になる。
【０１１４】
前述の実施形態の全てまたはいくつかは、ソフトウェア、ハードウェア、ファームウェア、またはそれらの任意の組み合わせによって実現され得る。実施形態を実現するためにソフトウェアプログラムが使用されるとき、実施形態の全てまたはいくつかはコンピュータプログラム製品の形式で実現され得る。コンピュータプログラム製品は、1つまたは複数のコンピュータ命令を含む。コンピュータプログラム命令がロードされ、コンピュータにおいて実行されるとき、この出願の実施形態による手順または機能の全てまたはいくつかが生成される。コンピュータは、汎用コンピュータ、専用コンピュータ、コンピュータネットワーク、または別のプログラム可能な装置であり得る。コンピュータ命令は、コンピュータ可読記憶媒体に記憶されてよく、またはコンピュータ可読記憶媒体から別のコンピュータ可読記憶媒体に送信されてよい。たとえば、コンピュータ命令は、有線（たとえば、同軸ケーブル、光ファイバ、もしくはデジタル加入者回線（digital subscriber line、略してDSL））またはワイヤレス（たとえば、赤外線、無線、もしくはマイクロ波）方式で、あるウェブサイト、コンピュータ、サーバ、またはデータセンタから別のウェブサイト、コンピュータ、サーバ、またはデータセンタに送信され得る。コンピュータ可読記憶媒体は、コンピュータによってアクセス可能な任意の使用可能な媒体、または1つまたは複数の使用可能な媒体を統合するサーバもしくはデータセンタのようなデータストレージデバイスであり得る。使用可能な媒体は、磁気媒体（たとえば、フロッピーディスク、ハードディスク、または磁気テープ）、光学媒体（たとえば、DVD）、半導体媒体（たとえば、ソリッド・ステート・ドライブ（solid state disk、略してSSD））、または同様のものであり得る。
【０１１５】
この出願は実施形態を参照して記載されているが、保護を主張するこの出願を実現するプロセスでは、この技術分野の当業者は、添付図面、開示された内容、および添付の特許請求の範囲を見ることにより、開示された実施形態の別の変形を理解し実現し得る。特許請求の範囲では、「含む」（comprising）は別の構成要素または別のステップを除外せず、「a」または「one」は複数の意味を除外しない。単一のプロセッサまたは別のユニットは、特許請求の範囲に列挙されるいくつかの機能を実現し得る。いくつかの手段が互いに異なる従属請求項に記録されているが、これは、より良い効果をもたらすためにこれらの手段が組み合わされることが可能でないことを意味しない。
【０１１６】
この出願は、特定の特徴およびそれらの実施形態を参照して記載されているが、この出願の思想および範囲から逸脱することなく、それらに対して様々な修正および組み合わせが行われ得ることが明らかである。それに対応して、明細書および添付図面は、添付の特許請求の範囲によって規定されるこの出願の単に例示の記載であり、この出願の範囲をカバーする任意のまたはすべての修正、変形、組み合わせ、または等価物と考えられる。
【符号の説明】
【０１１７】
30  エネルギー節約装置
80  エネルギー節約装置
301  プロセッサ
302  通信バス
303  メモリ
304  通信インターフェース
305  出力デバイス
306  入力デバイス
308  プロセッサ
801  処理ユニット
802  通信ユニット
803  記憶ユニット
【図１】
2021533608.tif 000010
【図２】
2021533608.tif 000011
【図３】
2021533608.tif 000012
【図４】
2021533608.tif 000013
【図５】
2021533608.tif 000014
【図６】
2021533608.tif 000015
【図７】
2021533608.tif 000016
【図８】
2021533608.tif 000017
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
通信システムに適用されるエネルギー節約方法であって、前記通信システムが、集中型コントローラおよび前記集中型コントローラに接続されたm個の無線リモートユニット（RRU）を備え、mが1より大きい整数であり、前記エネルギー節約方法が、
前記集中型コントローラにより、前記m個のRRUの中のn個のRRUを決定するステップであって、前記n個のRRUに対応する同じ端末の第1のダウンリンク基準信号受信電力（RSRP）の合計が第1の予め設定された値以上であり、1つのRRUが複数の端末の第1のダウンリンクRSRPに対応し、1つのRRUに対応する1つの端末の第1のダウンリンクRSRPが、前記集中型コントローラによって推定された、前記端末によって測定された、対応する第1の基準信号（RS）送信電力での前記RRUからのRSの、受信電力であり、1つのRRUに対応する第1のRS送信電力が、前記RRUに対応する第2のRS送信電力に対して電力増加が実行された後に取得されたRS送信電力であり、前記m個のRRUに対応する第2のRS送信電力がすべて事前に構成され、前記第1の予め設定された値が、前記複数の端末がダウンリンクサービスを実行するときに到達されるべきレベル値であり、nが0より大きくmより小さい整数である、ステップと、
前記集中型コントローラにより、前記m個のRRUの中にある、前記n個のRRUとは異なるRRUをオフにするステップと、
前記集中型コントローラにより、前記n個のRRUの各々に対応する第2のRS送信電力を対応する第1のRS送信電力に増やし、前記n個のRRUの各々が前記対応する第1のRS送信電力でRSを送信することを可能にするステップと
を備える、エネルギー節約方法。
【請求項２】
前記集中型コントローラにより、前記n個のRRUの各々に対応する第2のRS送信電力を対応する第1のRS送信電力に増やす前記ステップが、
前記集中型コントローラにより、データ送信電力を削減し、前記RS送信電力を増大させて、前記n個のRRUの各々に対応する前記第2のRS送信電力を前記対応する第1のRS送信電力に増やすステップ、または
前記集中型コントローラにより、前記RRUが属する論理セルのサービス帯域幅における全体のRS送信電力を前記サービス帯域幅の中央の帯域幅に集中させて、前記n個のRRUの各々に対応する前記第2のRS送信電力を前記対応する第1のRS送信電力に増やすステップ
を備える、請求項1に記載のエネルギー節約方法。
【請求項３】
前記集中型コントローラにより、前記m個のRRUの中のn個のRRUを決定する前記ステップの前に、前記エネルギー節約方法が、
前記集中型コントローラにより、前記m個のRRUの各々に対応する前記複数の端末の第2のダウンリンクRSRPを決定するステップであって、1つのRRUに対応する1つの端末の第2のダウンリンクRSRPが、前記端末によって測定された、対応する第2のRS送信電力での前記RRUからのRSの、受信電力である、ステップと、
前記集中型コントローラにより、前記m個のRRUの各々の増やされたRS送信電力を決定するステップと、
前記集中型コントローラにより、前記m個のRRUの各々に対応する前記複数の端末の前記第2のダウンリンクRSRP、および各RRUの前記増やされたRS送信電力に基づいて、前記m個のRRUの各々に対応する前記複数の端末の第1のダウンリンクRSRPを決定するステップと
をさらに備える、請求項1または2に記載のエネルギー節約方法。
【請求項４】
前記集中型コントローラにより、前記RRUが属する論理セルのサービス帯域幅における全体のRS送信電力を前記サービス帯域幅の中央の帯域幅に集中させて、前記n個のRRUの各々に対応する前記第2のRS送信電力を前記対応する第1のRS送信電力に増やす前記ステップの前に、前記エネルギー節約方法が、
前記集中型コントローラにより、前記n個のRRUの各々の増やされたRS送信電力に基づいて、前記n個のRRUに対応する前記中央の前記帯域幅を決定するステップ
をさらに備える、請求項3に記載のエネルギー節約方法。
【請求項５】
前記集中型コントローラが、前記m個のRRUの中の第1のRRUに対応する第1の端末の第2のダウンリンクRSRPを決定することが、
前記集中型コントローラにより、前記m個のRRUに対応する前記第1の端末のアップリンクRSRPを測定するステップであって、1つのRRUに対応する前記第1の端末のアップリンクRSRPが、前記集中型コントローラによって測定された、前記RRUを通しての前記第1の端末からのサウンディング基準信号（SRS）の受信電力であり、前記第1の端末が前記複数の端末のうちのいずれか1つである、ステップと、
前記集中型コントローラにより、前記第1の端末からの、前記m個のRRUに対応する前記第1の端末の第2のダウンリンクRSRPの合計に関する情報を受信するステップと、
前記集中型コントローラにより、前記m個のRRUに対応する前記第1の端末の前記アップリンクRSRP、および前記m個のRRUに対応する前記第1の端末の前記第2のダウンリンクRSRPの合計に関する情報に基づいて、前記第1のRRUに対応する前記第1の端末の前記第2のダウンリンクRSRPを決定するステップであって、前記第1のRRUが前記m個のRRUのうちのいずれか1つである、ステップと
を備える、請求項3または4に記載のエネルギー節約方法。
【請求項６】
前記集中型コントローラにより、前記m個のRRUに対応する前記第1の端末の前記アップリンクRSRP、および前記m個のRRUに対応する前記第1の端末の前記第2のダウンリンクRSRPの合計に関する情報に基づいて、前記第1のRRUに対応する前記第1の端末の前記第2のダウンリンクRSRPを決定する前記ステップが、
前記集中型コントローラにより、予め設定されたアルゴリズムに基づいて、前記第1のRRUに対応する前記第1の端末の前記第2のダウンリンクRSRPの線形値を決定するステップであって、前記予め設定されたアルゴリズムが
【数１】
2021533608.tif 000018
であり、Suplink RSRPが、前記m個のRRUに対応する前記第1の端末の前記アップリンクRSRPの線形値の合計であり、Sdownlink RSRPが、前記m個のRRUに対応する前記第1の端末の前記第2のダウンリンクRSRPの線形値の合計であり、RSRP1’が、前記第1のRRUに対応する前記第1の端末のアップリンクRSRPの線形値であり、RSRP1が、前記第1のRRUに対応す前記第1の端末の前記第2のダウンリンクRSRPの線形値である、ステップと、
前記集中型コントローラにより、前記第1のRRUに対応する前記第1の端末の前記第2のダウンリンクRSRPの線形値に基づいて、前記第1のRRUに対応する前記第1の端末の前記第2のダウンリンクRSRPを決定するステップと
を備える、請求項5に記載のエネルギー節約方法。
【請求項７】
前記集中型コントローラにより、前記m個のRRUの中のn個のRRUを決定する前記ステップが、
前記集中型コントローラにより、前記m個のRRUの中のいずれかj個のRRUに対応する前記複数の端末の各々の第1のダウンリンクRSRPの合計が、第1の予め設定された値以上であるかどうかを判定するステップと、
前記m個のRRUの中の前記j個のRRUに対応する前記複数の端末の各々の前記第1のダウンリンクRSRPの合計が、前記第1の予め設定された値以上であるならば、前記集中型コントローラにより、前記j個のRRUを前記n個のRRUとして決定するステップ、または
前記m個のRRUの中の前記j個のRRUに対応する前記複数の端末の各々の前記第1のダウンリンクRSRPの合計が、前記第1の予め設定された値より小さいならば、前記集中型コントローラにより、前記n個のRRUが決定されるまで、j＝j＋1を割り当て、前記m個のRRUの中のいずれかj個のRRUに対応する前記複数の端末の各々の第1のダウンリンクRSRPの合計が、前記第1の予め設定された値以上であるかどうかを判定し続けるステップであって、jの初期値が予め設定された値である、ステップと
を備える、請求項1から6のいずれか一項に記載のエネルギー節約方法。
【請求項８】
前記集中型コントローラにより、前記m個のRRUの中のn個のRRUを決定する前記ステップの前に、前記エネルギー節約方法が、
前記集中型コントローラにより、前記通信システムがエネルギー節約モードに入ることを決定するステップ
をさらに備える、請求項1から7のいずれか一項に記載のエネルギー節約方法。
【請求項９】
エネルギー節約装置であって、前記エネルギー節約装置がメモリおよびプロセッサを備え、
前記メモリがコンピュータ実行可能命令を記憶するように構成され、前記プロセッサが前記メモリに記憶された前記コンピュータ実行可能命令を実行して、前記エネルギー節約装置が請求項1から8のいずれか一項に記載のエネルギー節約方法を実行することを可能にする、エネルギー節約装置。
【請求項１０】
命令を備えるコンピュータ可読記憶媒体であって、前記命令がコンピュータにおいて実行されるとき、前記コンピュータが請求項1から8のいずれか一項に記載のエネルギー節約方法を実行することが可能になる、コンピュータ可読記憶媒体。
【国際調査報告】
2021533608.tif 000019
2021533608.tif 000020
2021533608.tif 000021
2021533608.tif 000022